(57)【特許請求の範囲】
【請求項１】
シャッターカーテンの開閉機構を収容するための収容空間を備え、建物の壁面よりも突出するように設けられた額縁状のサッシュ枠の上横枠の上方に位置する建物躯体に取付けられたシャッターボックスの取付構造であって、
シャッターボックスは、建物の壁面と空間を隔てて対向する対向板と、対向板の上端より建物の壁面に近づく方向に延長する凹部上部材とで囲まれて、後側、下側、左右側が開口となった凹部を備え、
シャッターボックスの凹部上部材が上横枠の上方に位置する建物躯体に取付けられた場合に、対向板の下端が上横枠の下端よりも下方に位置されて、建物の壁面よりも外側に突出する上横枠のすべてが凹部内に収容されたことを特徴とするシャッターボックスの取付構造。
【請求項２】
シャッターカーテンの開閉機構を収容するための収容空間を備え、建物の壁面よりも突出するように設けられた額縁状のサッシュ枠の上横枠の上方に位置する建物躯体に取付けられたシャッターボックスの取付構造であって、
シャッターボックスは、シャフトの両端を回転可能に支持する左右の端板と、左右の端板間に設けられて建物の壁面と空間を隔てて対向する対向板と、対向板の上端より建物の壁面に近づく方向に延長する凹部上部材とで囲まれて、後側及び下側が開口となった凹部を備え、
シャッターボックスの凹部上部材が上横枠の上方に位置する建物躯体に取付けられた場合に、対向板の下端が上横枠の下端よりも下方に位置されて、建物の壁面よりも外側に突出する上横枠のすべてが凹部内に収容されたことを特徴とするシャッターボックスの取付構造。
【請求項３】
シャッターボックスは、下板と、前板と、上板と、後板とを備え、
後板は、下板の後端縁より上方に延長して建物の壁面と空間を隔てて対向する前記対向板と、対向板の上端より建物の壁面に近づく方向に延長する凹部上板と、凹部上板の後端縁より上方に延長して上板の後端縁と連結された上部後板とを備え、
凹部上部材は、凹部の上方に位置される凹部上板と、上部後板と、上板とで形成された凸部により構成され、
壁面に突き付けられる凸部の後端面の高さ寸法が凸部の前側の高さ寸法よりも大きいことを特徴とする請求項1又は請求項２に記載のシャッターボックスの取付構造。
【請求項４】
凹部上部材が建物の壁面に近づく方向及び建物の壁面から離れる方向に移動可能なように構成されたことを特徴とする請求項１乃至請求項３のいずれか一項に記載のシャッターボックスの取付構造。
【発明の詳細な説明】
【技術分野】
【０００１】
本発明は、建物の開口に取付けられたサッシュ枠の上横枠の上方の建物躯体に取付けられるシャッターボックスの取付構造に関する。
【背景技術】
【０００２】
建物の壁面よりも突出するように設けられた額縁状のサッシュ枠の上横枠の上方に位置する建物躯体にシャッターボックスを取付けることで、所謂、窓シャッター装置を増設することが知られている。
シャッターボックスは、シャッターカーテンの開閉機構を収容するための収容空間を備えた箱体である。
シャッターカーテンの開閉機構を収容したシャッターボックスが、サッシュ枠の上横枠の上方に位置する建物躯体に取付けられ、サッシュ枠の左右の縦枠の外側にシャッターカーテンの左右側縁をガイドするガイドレールが設置されることで、サッシュ枠の外方でシャッターカーテンが開閉可能となった窓シャッター装置が構築される（特許文献１等参照）。
従来、サッシュ枠の上横枠と近接した位置に例えば軒やバルコニー等の構造物が存在する場合は、この軒やバルコニー等の構造物が邪魔となってサッシュ枠の上横枠よりも上方の位置にシャッターボックスを設置できない場合がある。この場合、上横枠の上方に位置する建物躯体にスペーサを固定し、シャッターボックスを、サッシュ枠よりも外方（室内側からサッシュ枠を介して外を見た場合のサッシュ枠よりも前方）に位置させた状態で前記スペーサに取付けることで、シャッターボックスを建物躯体に取付けていた。この場合、後側が開口されたシャッターボックスでは、建物内からサッシュ枠を通してシャッターボックスの内側が目視されるため、シャッターボックスの後側にシャッターボックスの内側を見えなくするための目隠板を設けている。
【先行技術文献】
【特許文献】
【０００３】
【特許文献１】特開２０００−１７９２５５号公報
【発明の概要】
【発明が解決しようとする課題】
【０００４】
従来のシャッターボックスによれば、サッシュ枠の上横枠よりも上方の位置に設置できない場合、追加部品としてのスペーサが必要となり、シャッターボックスの取付作業において、部品点数、作業工数が増加してしまう。また、追加部品としての目隠板が必要となる場合には、部品点数、作業工数がさらに増加してしまう。
本発明は、サッシュ枠の上横枠よりも上方の位置にシャッターボックスを設置できない場合であっても、取付作業において追加部品を必要とせず、サッシュ枠の上横枠の上方の建物躯体に取付けることを可能としたシャッターボックスの取付構造を提供する。
【課題を解決するための手段】
【０００５】
前記課題を解決するため、本発明に係るシャッターボックスの取付構造は、シャッターカーテンの開閉機構を収容するための収容空間を備え、建物の壁面よりも突出するように設けられた額縁状のサッシュ枠の上横枠の上方に位置する建物躯体に取付けられたシャッターボックスの取付構造であって、シャッターボックスは、建物の壁面と空間を隔てて対向する対向板と、対向板の上端より建物の壁面に近づく方向に延長する凹部上部材とで囲まれて、後側、下側、左右側が開口となった凹部を備え、シャッターボックスの凹部上部材が上横枠の上方に位置する建物躯体に取付けられた場合に、対向板の下端が上横枠の下端よりも下方に位置されて、建物の壁面よりも外側に突出する上横枠のすべてが凹部内に収容されたことを特徴とする。
また、本発明に係るシャッターボックスの取付構造は、シャッターカーテンの開閉機構を収容するための収容空間を備え、建物の壁面よりも突出するように設けられた額縁状のサッシュ枠の上横枠の上方に位置する建物躯体に取付けられたシャッターボックスの取付構造であって、シャッターボックスは、シャフトの両端を回転可能に支持する左右の端板と、左右の端板間に設けられて建物の壁面と空間を隔てて対向する対向板と、対向板の上端より建物の壁面に近づく方向に延長する凹部上部材とで囲まれて、後側及び下側が開口となった凹部を備え、シャッターボックスの凹部上部材が上横枠の上方に位置する建物躯体に取付けられた場合に、対向板の下端が上横枠の下端よりも下方に位置されて、建物の壁面よりも外側に突出する上横枠のすべてが凹部内に収容されたことを特徴とする。
また、シャッターボックスは、下板と、前板と、上板と、後板とを備え、後板は、下板の後端縁より上方に延長して建物の壁面と空間を隔てて対向する前記対向板と、対向板の上端より建物の壁面に近づく方向に延長する凹部上板と、凹部上板の後端縁より上方に延長して上板の後端縁と連結された上部後板とを備え、凹部上部材は、凹部の上方に位置される凹部上板と、上部後板と、上板とで形成された凸部により構成され、壁面に突き付けられる凸部の後端面の高さ寸法が凸部の前側の高さ寸法よりも大きいことを特徴とする。
また、凹部上部材が建物の壁面に近づく方向及び建物の壁面から離れる方向に移動可能なように構成されたことを特徴とする。
【発明の効果】
【０００６】
本発明のシャッターボックスの取付構造によれば、後側、下側、左右側が開口となった凹部、又は、後側及び下側が開口となった凹部を備えたので、サッシュ枠の上横枠よりも上方の位置にシャッターボックスを設置できない場合であっても、凹部内にサッシュ枠の上横枠を収容することで、取付作業において追加部品を必要とせず、シャッターボックスを、サッシュ枠の上横枠の上方の建物躯体に簡単に取付けることが可能な取付構造を実現できるとともに、凹部上部材が建物躯体に取付けられるので、シャッターボックスの取付安定性が増す。
また、壁面に突き付けられる凸部の後端面の高さ寸法が凸部の前側の高さ寸法よりも大きいので、壁面に対する接触面積を大きくでき、シャッターボックスの取付安定性が増す。
また、凹部上部材が建物の壁面に近づく方向及び建物の壁面から離れる方向に移動可能なように構成されたので、凹部の前後方向の寸法を変更できるようになり、サッシュ枠の壁面からの突出量の違いに対応可能となる。
【図面の簡単な説明】
【０００７】
【図１】窓シャッター装置を示す正面図（実施形態１）。
【図２】窓シャッター装置を示す断面図（実施形態１）。
【図３】シャッターボックスの分解斜視図（実施形態１）。
【図４】シャッターボックスの要部斜視図（実施形態２）。
【図５】シャッターボックスの要部斜視図（実施形態３）。
【発明を実施するための形態】
【０００８】
実施形態１
図１に示すように、窓シャッター装置１００は、シャッターボックス２０と、ガイドレール３０；３０と、縦枠４０；４０と、下枠４１とを備えて構成される。
【０００９】
図２に示すように、シャッターボックス２０は、シャッターカーテン３５の開閉機構を収容するための収容空間２６を備え、建物の壁面としての例えば外壁面１よりも外方に突出するように設けられた額縁状のサッシュ枠２の上横枠４の上方に位置する建物躯体に取付けられる。
シャッターカーテン３５の開閉機構は、シャッターカーテン３５を巻き取るシャフト３４、当該シャフト３４に巻き取られるシャッターカーテン３５、シャフト３４を回転させる開閉駆動手段、シャフト３４の回転を停止させてシャッターカーテン３５の開閉動作を停止させる図外の制動手段等である。
開閉駆動手段は、シャフト３４を巻取方向及び繰出方向に回転させる駆動源としてのモーター５０及びモーター５０の回転力をシャフト３４に伝達する図外の歯車伝達機構のような動力伝達機構等により構成される。
また、開閉駆動手段は、手動式シャッター装置の場合は、シャフト３４を巻取り方向に回転させる図外のバネ及びバネに蓄えられた回転力をシャフト３４に伝達するプーリーのような動力伝達手段などにより構成される。
シャフト３４は、左右の両端がシャッターボックス２０の左右一対の端板（ブラケット）２９ａ；２９ｂ（図１参照）に設けられた図外の軸受に回転可能に支持され、シャッターカーテン３５を巻き取る方向、及び、シャッターカーテン３５を繰り出す方向（巻き出す方向）に回転する。
【００１０】
図１に示すように、ガイドレール３０；３０は、サッシュ枠２が取付けられた開口部１ａを開閉するシャッターカーテン３５の側端縁（左右の両端部）をガイドする部材であって、開口部１ａの上下方向に延長するガイド溝３０ａ（図２；図３参照）を備える。シャッターカーテン３５の左右の側端縁が、ガイドレール３０；３０の相対向するガイド溝３０ａ；３０ａを介して、シャッターカーテン３５の開閉方向である上下方向にガイドされることで、シャッターカーテン３５が上下方向に移動して開口部１ａを開閉する。即ち、窓シャッター装置１００のシャッターカーテン３５がシャフト３４に巻き取られることで建物の開口部１ａが開通し、シャッターカーテン３５がシャフト３４から繰り出されることで開口部１ａが閉鎖される。
【００１１】
図２に示すように、シャッターカーテン３５は、スラット３７と座板３８と吊元３９とを備える。
スラット３７は、複数のスラット部材３６により形成される。スラット部材３６は、シャフト３４の回転中心線に沿った方向に長い長尺部材により形成される。スラット３７は、複数のスラット部材３６がスラット部材３６の長手方向（スラット部材３６の長辺に沿った方向）と直交する方向に連続するように、隣り合うスラット部材３６同士の長手方向の両端位置を揃えて長辺同士が図外の係合部によって互いに接続され、接続部分で折れ曲がり可能となった矩形板状に形成される。
【００１２】
座板３８がスラット３７におけるスラット部材３６の長手方向と直交する方向の一端（下端）に位置されるスラット部材３６の長辺に連結され、吊元３９がスラット３７におけるスラット部材３６の長手方向と直交する方向の他端（上端）に位置されるスラット部材３６の長辺に連結される。
【００１３】
吊元３９は、スラット３７の他端に位置されるスラット部材３６の長辺に沿って当該長辺に間欠的に設けられる連結板であり、シャッターボックス２０に設けられたシャッターカーテン３５の出口孔３１を経由してシャフト３４に連結される。
【００１４】
図１に示すように、サッシュ枠２は、上横枠４、下横枠５、左縦枠６、右縦枠７とを備えた額縁状に形成されて建物に形成された開口部１ａに取付けられている。サッシュ枠２の内側には、引違い戸としての窓ガラス戸８，９がはめこまれ、窓ガラス戸８，９は左，右に開閉自在となっている。なお、３は建物の軒である。
【００１５】
図２に示すように、サッシュ枠２の上横枠４は、水平方向に延長する長尺な横枠１０と、この横枠１０の屋内側と屋外側に設けられた外レール１１，１２と、その内側に設けられる窓レール１３，１４と、網戸レール１５等より成り、下横枠５については前記外レール１１，１２、窓レール１３，１４、網戸レール１５に対応する位置に被レール１１ａ，１２ａ、窓レール１３ａ，１４ａ、網戸レール１５ａ等が横枠１０ａより突設して、上横枠４に対応する位置に取付けられる。
【００１６】
図１；図２に示すように、シャッターボックス２０は、シャフト３４の両端を回転可能に支持する左右の端板２９ａ；２９ｂと、左右の端板２９ａ；２９ｂ間に設けられた横長の下板２１と、前板２２と、上板２３と、後板２４とが箱状に組合わされて構成され、その内部の収容空間２６に、上述したシャッターカーテン３５の開閉機構が設けられる。
【００１７】
後板２４は、下板２１の後端縁より上方に延長して建物の外壁面１と空間を隔てて対向する対向板２４ｃと、対向板２４ｃの上端より建物の外壁面１に近づく方向に延長する凹部上板２４ｂと、凹部上板２４ｂの後端縁より上方に延長して上板２３の後端縁と連結された上部後板２４ａとを備える。
【００１８】
即ち、シャッターボックス２０は、左右の端板２９ａ；２９ｂと、左右の端板２９ａ；２９ｂ間に設けられて建物の外壁面１と空間を隔てて対向する対向板２４ｃと、対向板２４ｃの上端より建物の外壁面１に近づく方向に延長する凹部上板２４ｂとで囲まれて、後側及び下側が開口となった凹部２７を備え、建物躯体に取付けられる場合に凹部２７内にサッシュ枠２の上横枠４、あるいは、上横枠４、左縦枠６の上部、右縦枠７の上部を収容可能に構成されている（図１；図２参照）。
言い換えれば、凹部２７の上方に位置される凹部上板２４ｂと、上部後板２４ａと、上板２３とで、凹部上部材としての凸部２８が形成され、当該凸部２８と対向板２４ｃとで囲まれて、後側及び下側が開口となった凹部２７を備える。
【００１９】
実施形態１のシャッターボックス２０によれば、サッシュ枠２の上横枠４よりも上方の位置に設置できる場合には、例えば、サッシュ枠２の上横枠４よりも上方に位置する外壁面１に、上部後板２４ａ（凸部２８の後端面）、及び、左右の端板２９ａ；２９ｂの後端面を付き付けた状態で、図外の取付ブラケット等の取付部材を用いてシャッターボックス２０を建物躯体に固定することができる。
一方、シャッターボックス２０をサッシュ枠２の上横枠４よりも上方の位置に設置できない場合には、外壁面１よりも外側に突出する上横枠４、あるいは、上横枠４、左縦枠６の上部、右縦枠７の上部を、シャッターボックス２０の後側の凹部２７内に収容した状態とし、例えば、上部後板２４ａ（凸部２８の後端面）、及び、左右の端板２９ａ；２９ｂの後端面を外壁面１に突き付けた状態で、図外の取付ブラケット等の取付部材を用いてシャッターボックス２０を建物躯体に固定することができる。この場合、シャッターボックス２０の後側の凸部２８が従来のスペーサとして機能し、かつ、対向板２４ｃが目隠し板として機能するので、シャッターボックス２０の取付作業に際して、従来のようにスペーサや目隠し板などの追加部品は不要である。
従って、実施形態１のシャッターボックス２０は、サッシュ枠２の上横枠４よりも上方の位置にシャッターボックス２０を設置できない場合であっても、取付作業において追加部品としてのスペーサ及び目隠し板を必要とせず、サッシュ枠２の上横枠４の上方の建物躯体に簡単に取付けることが可能なシャッターボックスとなる。
また、凹部上部材としての凸部２８の後端面を外壁面１に突き付けた状態で、シャッターボックス２０を建物躯体に固定することができるので、シャッターボックス２０の取付安定性が増す。
【００２０】
尚、シャッターボックス２０を建物躯体に取付けた後、又は、シャッターボックス２０を建物躯体に取付ける前に、サッシュ枠２の左縦枠６の左側、及び、右縦枠７の右側の建物躯体にそれぞれ窓シャッター装置１００の縦枠４０；４０を固定し、当該縦枠４０；４０の前側にそれぞれガイドレール３０；３０を取付ける。そして、左の縦枠４０及び左のガイドレール３０のうちの少なくとも一方の上端部とシャッターボックス２０の左の端板２９ａとを連結するとともに、右の縦枠４０及び右のガイドレール３０のうちの少なくとも一方の上端部とシャッターボックス２０の右の端板２９ｂとを連結する。そして、サッシュ枠２の下横枠５の下方に窓シャッター装置１００の下枠４１を設置して建物躯体に固定する。
以上により、サッシュ枠２が取付けられた開口部１ａをシャッターカーテン３５によってサッシュ枠２の前方で開閉可能な窓シャッター装置１００が建物躯体に取付けられる。
【００２１】
また、図２に示すように、シャッターボックス２０は、凹部２７を備えた為に、シャッターボックス２０の収容空間２６内において、シャフト３４の位置が、収容空間２６内の前側（建物から見て外側）に寄ってしまう。従って、シャッターカーテン３５ができるだけサッシュ枠２に近い側で昇降するように、図２で見た場合、左巻き、すなわち、反時計回りにシャッターカーテン３５が巻き取られ、時計回りにシャッターカーテン３５が繰出されるように構成されている。さらに、凹部２７を備えた為に、シャッターボックス２０の収容空間２６内の下方後側のスペースが狭くなるため、モーター５０等の機械部品は、シャッターボックス２０の収容空間２６内の下方前側に設置される。
また、サッシュ枠２は、建物の壁面としての例えば外壁面１よりも外方に突出するように設けられているため、シャッターボックス２０の凹部２７の前後寸法は、外壁面１よりも外方に突出するサッシュ枠２の突出寸法よりも大きくなるように形成される。例えば、サッシュ枠２の突出寸法は一般的に３０ｍｍ〜４０ｍｍであるので、シャッターボックス２０の凹部２７の前後寸法は、当該サッシュ枠２の突出寸法よりも十分に大きく形成することが好ましい。
また、シャッターボックス２０の凹部２７の高さ寸法は、少なくとも、サッシュ枠２の上横枠４を収容可能な寸法に形成されていればよい。
【００２２】
実施形態２
図４に示すように、凹部２７の高さ寸法を大きくして、凸部２８の高さ寸法を小さくすれば、サッシュ枠２の上横枠４と軒３やバルコニー等の構造物との間のスペースが非常に小さい場合でも、シャッターボックス２０を建物躯体に取付けることができるようになる。また、この場合、図４に示すように、凸部２８の後端面２３ｃの高さ寸法を凸部２８の前側の高さ寸法よりも大きくしておけば、外壁面１に対する接触面積を大きくできるので、シャッターボックス２０の取付安定性が増す。
【００２３】
実施形態３
また、図５に示すように、上板２３に長孔２３ｍを形成し、この長孔２３ｍに重なる長孔２３ｎを有する凸部２８（凹部上部材）としての平板２３ｇを備え、この平板２３ｇの後端面２３ｆを外壁面１に接触させる構成としてもよい。
これによれば、長孔２３ｍと長孔２３ｎとを貫通させたボルト２３ｊのねじにナット２３ｈを締結することで、上板２３に凹部上部材としての平板２３ｇを固定し、ナット２３ｈを緩めて外壁面１に対し進退自在な凸部２８を形成できる。即ち、凹部上部材としての平板２３ｇにより形成された凸部２８が建物の外壁面１に近づく方向及び建物の外壁面１から離れる方向に移動可能なように構成されたので、凹部２７の前後方向の寸法を変更できるようになり、サッシュ枠２の外壁面１からの突出量の違いに対応可能となる。
【００２４】
尚、シャッターボックス２０の凹部は、建物の壁面と空間を隔てて対向する対向板と、対向板の上端より建物の壁面に近づく方向に延長する凹部上部材（凸部）とで囲まれて、後側、下側、左右側が開口となった凹部であってもよい。
【００２５】
また、本発明の適用対象となる窓シャッター装置のシャッターカーテン３５の構成態様としては、所謂スラットを上下方向に複数連設した態様だけではなく、パイプ、パネル、シート状物又はネット状物を単数もしくは複数連設して成る態様のシャッターカーテン、あるいは、スラット、パネル、パイプ、シート状物、ネット状物を適宜に組合せたシャッターカーテンでもよい。所謂、オーバヘッドタイプのシャッターカーテンにも適用できる。
即ち、シャッターカーテンは巻き取られるもののみでなく、例えば、チェーン等により複数のパネルが吊持された構成のパネルシャッターのように、駆動軸が左右側板に支持され、各パネル等の開閉体構成部材が折り畳まれたり並べられたりして収容されるものでもよい。
【符号の説明】
【００２６】
１  外壁面（建物の壁面）、２  サッシュ枠、４  上横枠、
２０  シャッターボックス、２４ｃ  対向板、２６  収容空間、２７  凹部、
２８  凸部（凹部上部材）。
【図１】
0006454134.tif 000002
【図２】
0006454134.tif 000003
【図３】
0006454134.tif 000004
【図４】
0006454134.tif 000005
【図５】
0006454134.tif 000006